(57)【要約】【課題】自転車フレームに取り付けて飲料ボトルの保持に用いられるボトルケージにおいて、飲料ボトルの着脱が迅速且つ容易に行え、しかも運転者が右利きであるときも左利きであるときも、常にこの効果が得られるようにする。【解決手段】飲料ボトル１５を挟持状に保持する左右一対のホルダー片１１，１２が設けられたケージ本体２と、このケージ本体２に保持された飲料ボトル１５の底部１５ｂを係止するボトムストッパー２２が設けられた下部アタッチメント３とを有し、下部アタッチメント３に対するケージ本体２の組合せ姿勢を上下選択自由に形成されており、ホルダー片は一方が長ホルダー片１１で他方が短ホルダー片１２として形成されている。【選択図】図１
0003122776.tif 000002
【実用新案登録請求の範囲】
【請求項１】
自転車フレームに取り付けて飲料ボトル（１５）の保持に用いるボトルケージにおいて、
飲料ボトル（１５）の胴部（１５ａ）を挟持状に保持する左右一対のホルダー片（１１，１２）が設けられたケージ本体（２）と、このケージ本体（２）に保持された飲料ボトル（１５）の底部（１５ｂ）を係止するボトムストッパー（２２）が設けられた下部アタッチメント（３）とを有し、
ケージ本体（２）及び下部アタッチメント（３）は互いに別体とされていると共にケージ本体（２）は下部アタッチメント（３）に対する組合せ姿勢を上下選択自由に形成されており、
ケージ本体（２）のホルダー片は一方がボトル胴部（１５ａ）の略半周にわたり巻掛け可能となる長ホルダー片（１１）として形成されていると共にホルダー片の他方は上記長ホルダー片（１１）に届かない範囲でボトル胴部（１５ａ）の同じ外周位置に巻掛け可能となる短ホルダー片（１２）として形成されており、
これら長ホルダー片（１１）及び短ホルダー片（１２）には飲料ボトル（１５）を胴部長手方向に沿って抜き差しするときのボトル誘導用面取り（１１ａ，１２ａ）が上下両面に対称配置で形成されている
ことを特徴とするボトルケージ。
【請求項２】
前記ケージ本体（２）には、下部アタッチメント（３）との相対的な組合せ姿勢を保持させるガイド（２０）が設けられていることを特徴とする請求項１記載のボトルケージ。
【請求項３】
前記ケージ本体（２）に保持された飲料ボトル（１５）の肩部（１５ｃ）を係止するショルダーフック（２１）が設けられた上部アタッチメント（４）が具備されており、この上部アタッチメント（４）はケージ本体（２）と下部アタッチメント（３）とに採用された互いの組合せ構造と共通の構造でケージ本体（２）と組合せ可能とされていることを特徴とする請求項１又は請求項２記載のボトルケージ。
【請求項４】
前記ケージ本体（２）と上部アタッチメント（４）とは、互いの組合せ高さを上下調節自在に形成されていることを特徴とする請求項３記載のボトルケージ。
【考案の詳細な説明】
【技術分野】
【０００１】
本考案は、ボトルケージに関するものである。
【背景技術】
【０００２】
自転車フレームに装着する飲料ボトル保持用のボトルケージとして、アルミ等の軽量金属製線材から折曲形成したものが周知である（例えば、特許文献１や特許文献２等参照）。この周知のボトルケージは、飲料ボトルの胴部をその底部側から抱きかかえるように支承しつつ、飲料ボトルの肩部を一部係合させた状態に保持するように一体、又は継ぎ合わせ構造で形成されており、自転車の走行振動や衝撃で飲料ボトルが脱出しないようにしてある。
【特許文献１】特開平７−２９１１６７号公報
【特許文献２】実開平５−８６７８４号公報
【考案の開示】
【考案が解決しようとする課題】
【０００３】
多くの場合、自転車フレームにおいて、ボトルケージを取り付ける部位は傾斜パイプ（ペダル杆の支持位置とフロントフォークの支持位置とを連結するパイプ）の上面であったり、センターパイプ（サドルを支持するパイプ）の前面であったりする。従って、いずれの部位にボトルケージを取り付けるにしても、自転車に跨った運転者から見るとボトルケージの上方には、センターパイプの上端部とハンドルステム支持パイプの上端部とを連結する水平パイプが存在していることになる。
上記した従来のボトルケージでは、飲料ボトルの着脱を、飲料ボトルの長手方向に沿った上下動（ボトルケージを取り付けた自転車フレームの長手方向に沿った直線移動）として行う必要があったため、このとき水平パイプが視角や実際の着脱動作にとって邪魔になり、飲料ボトルの着脱が面倒で且つ煩わしくなる原因となっていた。またこのような難点は、運転者が右利きであるか左利きであるかに関係なく、常に生じるものであった。
【０００４】
本考案は、上記事情に鑑みてなされたものであって、飲料ボトルの着脱が迅速且つ容易に行え、しかも運転者が右利きであるときも左利きであるときも、常にこの効果が得られるようにしたボトルケージを提供することを目的とする。
【課題を解決するための手段】
【０００５】
前記目的を達成するために、本考案は次の手段を講じた。
即ち、本考案に係るボトルケージは、飲料ボトルの胴部を挟持状に保持する左右一対のホルダー片が設けられたケージ本体と、このケージ本体に保持された飲料ボトルの底部を係止するボトムストッパーが設けられた下部アタッチメントとを有し、ケージ本体及び下部アタッチメントは互いに別体とされていると共にケージ本体は下部アタッチメントに対する組合せ姿勢を上下選択自由に形成されており、ケージ本体のホルダー片は一方がボトル胴部の略半周にわたり巻掛け可能となる長ホルダー片として形成されていると共にホルダー片の他方は上記長ホルダー片に届かない範囲でボトル胴部の同じ外周位置に巻掛け可能となる短ホルダー片として形成されており、これら長ホルダー片及び短ホルダー片には飲料ボトルを胴部長手方向に沿って抜き差しするときのボトル誘導用面取りが上下両面に対称配置で形成されている。
【０００６】
このようにケージ本体と下部アタッチメントとが別体であり、下部アタッチメントに対してケージ本体を上向きにしたり下向きにしたり自由に選択できる構造になっている。そしてそのうえで、ケージ本体は、左右のホルダー片が長ホルダー片と短ホルダー片として形成されている。
従って、ケージ本体については長ホルダー片が左側で短ホルダー片が右側に位置するように上下向きを決めることで、右利きの運転者にとって飲料ボトルの着脱が容易に行えるようになる。また反対に、ケージ本体については短ホルダー片が左側で長ホルダー片が右側に位置するように上下向きを決めることで、左利きの運転者にとって飲料ボトルの着脱が容易に行えるようになる。
【０００７】
これらの場合、ケージ本体に飲料ボトルを装着するには、短ホルダー片側の外側から長ホルダー片へ向けて飲料ボトルを横移動させるような動作成分を含んだものとなり、ケージ本体から飲料ボトルを取り出すには、短ホルダー片を乗り越えさせる方向で飲料ボトルを横移動させるような動作成分を含んだものとなる。要するに、飲料ボトルの着脱は、単なる上下動だけではなく、左右方向の横移動をも含んだものであるから、自転車に跨った運転者から見て、自転車の水平パイプが視角や実際の着脱動作にとって邪魔になることは少ない。そのため、飲料ボトルの着脱が迅速且つ容易に行えるものである。
【０００８】
なお、ケージ本体には、下部アタッチメントとの相対的な組合せ姿勢を保持させるためのガイドを設けておくのが好適である。
このようにすることで、ケージ本体と下部アタッチメントとの組合せ状態を互いに真っ直ぐな位置関係に保持できるので、飲料ボトルをガタツキ無く且つ確実に保持でき、また見栄えも良好となる。
本考案に係るボトルケージは、ケージ本体に保持された飲料ボトルの肩部を係止するショルダーフックが設けられた上部アタッチメントを具備させるのが好適である。この場合、上部アタッチメントはケージ本体と下部アタッチメントとに採用された互いの組合せ構造と共通の構造でケージ本体と組合せ可能なものとしておく。
【０００９】
このように上部アタッチメントをも具備させることで、飲料ボトルが自転車の走行振動や衝撃で脱出することを一層確実に防止できる。この場合、上部アタッチメントも、下部アタッチメント同様に、ケージ本体を上向きにしたり下向きにしたり自由に選択できる構造にする。
ケージ本体と上部アタッチメントとは、互いの組合せ高さを上下調節自在に形成しておくのが好適である。
このようにすることで飲料ボトルとして肩部の位置が異なる種類（形状違いや容量違い）の保持に対応できるようになる。
【考案の効果】
【００１０】
本考案に係るボトルケージは、飲料ボトルの着脱が迅速且つ容易に行え、しかも運転者が右利きであるときも左利きであるときも、常にこの効果が得られるようになっている。
【考案を実施するための最良の形態】
【００１１】
以下、本考案の実施の形態を、図面に基づき説明する。
図１乃至図８は、本考案に係るボトルケージ１の一実施形態を示している。このボトルケージ１は、自転車５０の自転車フレームに対し、例えばペダル杆５１の支持位置５２とフロントフォーク５３の支持位置５４とを連結する傾斜パイプ５５の上面へ取り付けられる。この他、サドル５６を支持するセンターパイプ５７の前面に取り付けられることもある。
このボトルケージ１は、ケージ本体２と下部アタッチメント３と上部アタッチメント４とを有したものであって、これらケージ本体２、下部アタッチメント３，上部アタッチメント４は、互いに別体とされている。
【００１２】
ケージ本体２は、取付ベース１０を幅方向の中心においてその左右にホルダー片１１，１２が張り出す状態に設けられて成る。このケージ本体２は、所定の強度を維持しつつボトルケージ１の全体としての軽量化を図るために、形成素材にはカーボンを含んだ樹脂等が採用され、肉厚が２ｍｍ以下となるようにしてある。また取付ベース１０は上下に分離したものとして必要最小限の大きさを確保し、左右のホルダー片１１，１２についても、デザイン的な低下が起こらないことを留意しつつ曲線を多用し且つ中抜き形状とすることにより、贅肉を徹底的に排除してある。これらのことからこのケージ本体２は３０ｇ以下を実現してある。
【００１３】
左右のホルダー片１１，１２は、飲料ボトル１５の胴部１５ａを挟持状に保持するためのものであって、ボトル胴部１５ａの外周面に沿った円弧カーブを有する立体形となっており、その円弧カーブの内径が、ボトル胴部１５ａの外径に比して小さく成りすぎない範囲で同等以下となるように形成されている。
図２から明らかなように、一方のホルダー片１１（図２の左側）はボトル胴部１５ａの略半周にわたり巻掛け可能となる長ホルダー片（以下、符号１１を使用）として形成されている。これに対して他方のホルダー片１２（図２の右側）は、長ホルダー片１１に届かない範囲でボトル胴部１５ａの同じ外周位置に巻掛け可能となる短ホルダー片（以下、符号１２を使用）として形成されている。これにより、これら長ホルダー片１１と短ホルダー片１２との各先端間には、ボトル胴部１５ａの外径より狭い着脱口１６が形成されている。
【００１４】
図１及び図３に示すように長ホルダー片１１には、飲料ボトル１５を胴部長手方向に沿って抜き差しするときのボトル誘導用面取り１１ａが上下両面に対称配置で形成されている。同様に、図１及び図４に示すように短ホルダー片１２には、飲料ボトル１５を胴部長手方向に沿って抜き差しするときのボトル誘導用面取り１２ａが上下両面に対称配置で形成されている。
取付ベース１０には、自転車５０の自転車フレーム（傾斜パイプ５５等）に設けられたケージ取付用の雌ねじ部（図示略）に合致する取付孔１７が設けられている。また図２に示すように、この取付ベース１０にはガイド２０が設けられている。このガイド２０はケージ本体２の正面側を凹ませて縦方向に通り抜けた溝状を呈するように形成されたもので、下部アタッチメント３や上部アタッチメント４を、大きなガタツキ無く嵌合して、これら三者の相対的な組合せ姿勢を保持できるようになっている。
【００１５】
下部アタッチメント３及び上部アタッチメント４は、上記のようなケージ本体２に設けられたガイド２０に対し、共通の構造で組合せができるように、帯板状に形成されている。そして下部アタッチメント３にはガイド２０の取付孔１７と合致するボルト通孔２３が設けられ、上部アタッチメント４にはガイド２０の取付孔１７と合致するボルト通孔２４が設けられている。
すなわち、下部アタッチメント３に対してケージ本体２の組合せ姿勢は上下選択自由であり、またこのようにしてケージ本体２が上下姿勢をどのように選択されたときも、このケージ本体２に対して上部アタッチメント４を組み合わせることができる。また、ケージ本体２と下部アタッチメント３との組合せ状態や、ケージ本体２と上部アタッチメント４との組合せ状態を、それぞれ互いに真っ直ぐな位置関係に保持できるので、飲料ボトル１５をガタツキ無く且つ確実に保持でき、また見栄えも良好となる。
【００１６】
本実施形態において上部アタッチメント４に設けられたボルト通孔２４は縦方向の長孔として形成してある。そのためケージ本体２のガイド２０は、上部アタッチメント４との関係において相対的な上下方向の直線移動を案内できることになり、ケージ本体２と上部アタッチメント４との組合せ高さを上下調節するのが容易となる。また調節後においてもケージ本体２と上部アタッチメント４とを真っ直ぐな位置関係に保持できるので、見栄えが良好となる。
下部アタッチメント３には、ケージ本体２に保持された飲料ボトル１５の底部１５ｂを係止するボトムストッパー２１が設けられており、飲料ボトル１５の落下を阻止できるようになっている。また上部アタッチメント４には、ケージ本体２に保持された飲料ボトル１５の肩部１５ｃを係止するショルダーフック２２が設けられており、飲料ボトル１５が自転車の走行振動や衝撃で脱出することを防止できる。
【００１７】
以上、詳説したところから明らかなように、本考案に係るボトルケージ１では、ケージ本体２と下部アタッチメント３とが別体であり、下部アタッチメント３に対してケージ本体２を上向きにしたり下向きにしたり自由に選択できる構造になっている。そしてそのうえで、ケージ本体２は、長ホルダー片１１と短ホルダー片１２を有しているので、図５に示すようにケージ本体２を長ホルダー片１１が左側で短ホルダー片１２が右側に位置するように上下向きを決めたり、反対に、図６に示すようにケージ本体２を短ホルダー片１２が左側で長ホルダー片１１が右側に位置するように上下向きを決めたりすることができる。
【００１８】
図５に示した上下向きであると、長ホルダー片１１と短ホルダー片１２との各先端間に形成される着脱口１６が右方を向くことになるので、右利きの運転者にとって飲料ボトル１５の着脱が容易に行えるようになり、図６に示した上下向きであると、着脱口１６が左方を向くことになるので、左利きの運転者にとって飲料ボトル１５の着脱が容易に行えるようになる。
いずれの場合も、ケージ本体２に飲料ボトル１５を装着するには、短ホルダー片１２側の外側から長ホルダー片１１へ向けて飲料ボトル１５を横移動させるような動作成分を含んだものとなり、ケージ本体２から飲料ボトル１５を取り出すには、短ホルダー片１２を乗り越えさせる方向で飲料ボトル１５を横移動させるような動作成分を含んだものとなるから、飲料ボトル１５の着脱は、単なる上下動だけではなく、左右方向の横移動をも含んで行うことが判る。
【００１９】
従って、自転車５０に跨った運転者から見て、自転車５０の水平パイプ５８が視角や実際の着脱動作にとって邪魔になることは少ない。そのため、飲料ボトル１５の着脱が迅速且つ容易に行えるものである。
ところで、本考案は、上記実施形態に限定されるものではなく、実施の形態に応じて適宜変更可能である。
例えば、下部アタッチメント３のボルト通孔２３を縦方向の長孔とすることができる。これにより、飲料ボトル１５の高さ方向の保持位置調節ができるようになるので、運転者にとって、体格や運転姿勢、癖、自転車５０の形状やサイズ等に応じた最適な飲料ボトル１５の保持位置が確保できることになる。
【図面の簡単な説明】
【００２０】
【図１】本考案に係るボトルケージの一実施形態を分解して示した正面図である。
【図２】ケージ本体を示す図１のＣ−Ｃ線矢視図である。
【図３】図１のＡ部中におけるａ−ａ線断面図である。
【図４】図１のＢ部中におけるｂ−ｂ線断面図である。
【図５】図１のボトルケージを右利き用に使用する状況を示した正面図である。
【図６】図１のボトルケージを左利き用に使用する状況を示した正面図である。
【図７】図５の右側面図である。
【図８】図１のボトルケージを自転車へ取り付けた状況を示した側面図である。
【符号の説明】
【００２１】
１  ボトルケージ
２  ケージ本体
３  下部アタッチメント
１１  長ホルダー片
１１ａ  ボトル誘導用面取り
１２  短ホルダー片
１２ａ  ボトル誘導用面取り
１５  飲料ボトル
１５ａ  飲料ボトルの胴部
１５ｂ  飲料ボトルの底部
２０  ガイド
２１  ショルダーフック
２２  ボトムストッパー
【図１】
0003122776.tif 000003
【図２】
0003122776.tif 000004
【図３】
0003122776.tif 000005
【図４】
0003122776.tif 000006
【図５】
0003122776.tif 000007
【図６】
0003122776.tif 000008
【図７】
0003122776.tif 000009
【図８】
0003122776.tif 000010